(57)【要約】    【課題】  コスト高を招来することなく、クレセントの閉じ忘れを正確に検知して知らせることのできるようにした窓防犯システムを提供する。    【解決手段】  クレセント(15)の操作レバー(16)のフック部(16A)及び受け部(17)に一対の端子(18,19)を設けてクレセントが閉じられたことを検知する検知手段を構成し、一対の端子には各々信号線(12A,13A,20,21,22,22')を接続し、表示機器(28)に部屋の間取り図を表示するとともに、間取り図の窓や扉に対応する箇所に色の異なる２つの発光素子(29,30)を設け、制御機器(27)によって一対の信号線の間に電圧を印加し、微弱電流の通電の有無から一対の端子の接続・非接続を検知し、一対の端子が非接続のときには表示機器の一方の発光素子を発光させ、接続されたときに他方の発光素子を発光させ、同時に防犯ブザーその他の防犯機器を連動させる。【選択図】  図１
0003123227.tif 000002
【実用新案登録請求の範囲】
【請求項１】
窓又は扉の閉戸状態に加えてクレセントの閉じ忘れを検知して通知する防犯システムにおいて、
窓又は扉に既設のクレセントの相互に係合される操作レバーのフック部及び受け部に設けられた一対の端子から構成され、上記操作レバーの操作によって上記一対の端子が相互に電気的に接続されることによって上記クレセントが閉じられたことを検知する検知手段と、
上記一対の端子に各々接続された信号線と、
部屋の間取り図が表示され、該間取り図の窓又は扉に対応する箇所に色の異なる２つの発光素子が取付けられた表示機器と、
上記一対の信号線の間に微弱電流が流れるように電圧を印加して微弱電流の通電の有無から上記一対の端子の接続・非接続を検知し、上記一対の端子が非接続のときには上記表示機器の一方の発光素子を発光させ、上記一対の端子が接続されたときに上記表示機器の他方の発光素子を発光させる一方、防犯ブザ−などの防犯機器を連動させる制御機器と、を備えたことを特徴とする窓扉防犯システム。
【請求項２】
上記信号線の一部は、導電材料製の窓枠又は扉枠を利用して構成されている請求項１記載の窓扉防犯システム。
【請求項３】
上記窓枠又は扉枠及び窓又は扉の取付け枠には窓又は扉を閉じたときに相互に電気的に接続される接続部が設けられ、取付け枠の接続部には信号線が接続されている請求項１記載の窓扉防犯システム。
【請求項４】
上記検知手段の端子は、上記操作レバーの導電材料製のフック部と導電材料製の受け部とによって構成されている請求項１記載の窓扉防犯システム。
【請求項５】
上記部屋の全ての窓又は扉、目的の窓又は扉、あるいは表示を必要とする窓又は扉には上記検知手段及び信号線が設けられ、上記表示機器には間取り図の対応する窓又は扉に２つの発光素子が各々設けられ、全ての、目的の又は表示を必要とする窓又は扉のクレセントの閉じ忘れが表示されるようになした請求項１記載の窓扉防犯システム。
【請求項６】
上記表示機器には複数の各部屋の照明用又は空調用の電源の稼働状況及び／又はボイラー設備等の稼働状況を表示する表示素子がさらに設けられるとともに、上記稼働状況を検知する手段をさらに備え、上記制御機器が上記検知手段の信号に応じて上記表示機器の表示素子を点灯させるようになっている請求項１記載の窓扉防犯システム。
【考案の詳細な説明】
【技術分野】
【０００１】
本考案は窓扉防犯システムに関し、特に窓やベランダのガラス扉などの扉に設けられたクレセントを利用し、窓やガラス扉の閉戸状態に加えてクレセントの閉じ忘れを検知し、クレセントの閉じ忘れを確実に防止できるようにしたシステムに関する。
【背景技術】
【０００２】
通常、住居では泥棒などの侵入者が外部から窓やベランダのガラス扉などをあけて部屋に侵入できないように、窓やガラス扉にクレセントを設け、クレセントの操作レバーのフック部を受け部に係合させて窓やガラス扉をロックできるようにした方式が採用されているが、クレセントを閉じ忘れると期待した防犯効果が得られない。
【０００３】
そこで、窓やガラス扉のクレセントに操作レバーの状態を検知するセンサーを設け、センサー信号を制御機器に無線で送信してクレセントの閉じ忘れがあることを通知するようにした窓扉防犯システムが提案されている（特許文献１、特許文献２）。
【０００４】
【特許文献１】特開平０７−１３４７９０号公報
【特許文献２】特開２００３−２８６７８５号公報
【考案の開示】
【考案が解決しようとする課題】
【０００５】
しかし、特許文献１、２記載の窓防犯システムでは無線信号を利用してクレセントと制御機器との間で信号を送受しているので、システムがコスト高になるばかりでなく、落雷などに起因して無線信号に雑音が混信すると誤通知をするおそれがある。
【０００６】
本考案はかかる問題点に鑑み、コスト高を招来することなく、窓やガラス扉の閉戸状態に加えてクレセントの閉じ忘れを正確に検知して知らせることのできるようにした窓扉防犯システムを提供することを課題とする。
【課題を解決するための手段】
【０００７】
そこで、本考案に係る窓扉防犯システムは、窓又は扉の閉戸状態に加えてクレセントの閉じ忘れを検知して通知する防犯システムにおいて、窓又は扉に既設のクレセントの相互に係合される操作レバーのフック部及び受け部に設けられた一対の端子から構成され、上記操作レバーの操作によって上記一対の端子が相互に電気的に接続されることによって上記クレセントが閉じられたことを検知する検知手段と、上記一対の端子に各々接続された信号線と、部屋の間取り図が表示され、該間取り図の窓又は扉に対応する箇所に色の異なる２つの発光素子が取付けられた表示機器と、上記一対の信号線の間に微弱電流が流れるように電圧を印加して微弱電流の通電の有無から上記一対の端子の接続・非接続を検知し、上記一対の端子が非接続のときには上記表示機器の一方の発光素子を発光させ、上記一対の端子が接続されたときに上記表示機器の他方の発光素子を発光させる一方、防犯ブザ−などの防犯機器を連動させる制御機器と、を備えたことを特徴とする。
【０００８】
本考案の特徴の１つは表示機器に部屋の間取り図を表示するとともに、間取り図の窓又は扉に対応する箇所に２つの表示素子を設ける一方、クレセントの操作レバーのフック部と受け部を電気スイッチとして利用し、端子間に電圧を印加し、端子が電気的に接続された時の微弱電流の流れを検知して表示機器の発光素子を発光させ、防犯ブザーなどの防犯機器を連動させるようにした点にある。
【０００９】
これにより、クレセントの閉じ忘れが視覚やブザー音などによって瞬時に確認でき、しかも表示された間取り図から閉じ忘れの窓や扉も直ちに直感的に分かるので、窓や扉のクレセントを確実に閉じることができる。
【００１０】
上述の視覚やブザー音などの通知に加え、ＩＣ機器、例えば窓や扉が開いたときにユーザが所有する携帯電話などに通知する既存の防犯機器を利用し、クレセントが開いているときには所定の時刻に、窓扉防犯システムの作動時あるいは一定の時間間隔でユーザの携帯電話などに通知するようにすると、防犯効果をさらに高めることができる。
【００１１】
また、窓や扉に既設のクレセント、つまり一般的に市販されているステンレス鋼製などの導電材料製の通常のクレセントをそのまま利用し、しかも端子の電気的な接続を利用した検知手段と微弱電流が流れる信号線とによってクレセントの閉じ忘れを検知するようにしているので、コスト高を招来することはなく、又特殊の機器を用いる必要がないので、既設の窓や扉にセットすることができ、本発明のシステムの普及が期待できる。
【００１２】
信号線は導線や導体をクレセントから窓枠や扉枠に沿わせ、さらに窓や扉の取付け枠から壁面に沿わせて構成することができる。例えば、窓枠や扉枠及び窓や扉の取付け枠に窓枠、扉枠や取付け枠に対して絶縁されるように導体、例えばアルミ片、銅片あるいはステンレス鋼片を下側の絶縁物と重ね合わせて固定することにより信号線の一部を構成することもできる。
【００１３】
また、窓枠や扉枠が導電材料で製作されている場合、窓枠や扉枠の外表面が絶縁性の塗料で塗装され、あるいはプラスチック製車輪などが介在されることにより、窓枠や扉枠は相互に、又取付け枠に対して絶縁されていることが多い。そこで、窓枠や扉枠をその導電特性を利用して信号線の一部として用いることもできる。例えば、窓枠又は扉枠及び窓又は扉の取付け枠には窓又は扉を閉じたときに相互に電気的に接続される接続部を設け、取付け枠の接続部には信号線を接続するように構成することができる。この接続部は窓枠や扉枠、窓や扉の取付け枠の外表面に形成された絶縁性の塗膜を部分的に剥離し、ねじやピンを取付けてねじやピンの頭部を利用し、あるいは塗膜の形成されていない窓枠又は扉枠と窓又は扉の取付け枠をそのまま利用することにより構成することができる。
【００１４】
検知手段は２つの窓枠又は扉枠の間を絶縁し、クレセントの操作レバーのフック部と受け部に端子を、操作レバーの操作によって接触し得るように設けることによって構成することができる。
【００１５】
クレセントの操作レバーのフック部と受け部はこれらが共に導電材料で製作されている場合であっても、その外表面に絶縁性の塗膜が形成されていることがある。そこで、操作レバーのフック部及び受け部に絶縁性の塗膜の形成されていないクレセントを用いるか、又は塗膜の一部を剥離することにより、フック部と受け部を検知手段の端子として使用することができる。例えば、操作レバーの導電材料製のフック部及び導電材料製の受け部の外表面に絶縁性の塗膜が形成されている場合、フック部及び受け部が相互に係合した状態でフック部と受け部とが電気的に接続される部位の絶縁性の塗膜を除去することにより検知手段の端子を構成することができる。
【００１６】
部屋の全ての窓又は扉に検知手段及び信号線を設け、表示機器には間取り図の対応する全ての窓又は扉に２つの発光素子を設け、全ての窓や扉のクレセントの閉じ忘れを表示させるようにしてもよく、又部屋の防犯を必要とする目的の窓又は扉、あるいは表示を必要とする窓又は扉に検知手段及び信号線を設け、表示機器には間取り図の目的の又は表示を必要とする窓又は扉に対応する箇所に２つの発光素子を設け、目的の窓又は扉又は表示を必要とする窓又は扉のクレセントの閉じ忘れを表示させるようにしてもよい。
【００１７】
また、病院などでは各病室毎に照明用又は空調用の電源が設けられ、又ボイラーが設備されていることが多く、本発明の窓扉防犯システムを利用し、各病室の電源やボイラーの稼働状況を表示させるようにすると病室やボイラー設備のモニターに便利である。即ち、表示機器には複数の各部屋の照明用又は空調用の電源の稼働状況及び／又はボイラー設備の稼働状況を通知する表示素子をさらに設けるとともに、前記の稼働状況を検知する手段をさらに備え、制御機器が検知手段の信号に応じて表示機器の表示素子を点灯させるように構成するのがよい。表示素子は異なる２つの素子を設けて稼働・非稼働を表示させてもよく、１つの素子によって稼働状態を表示させることもできる。
【考案を実施するための最良の形態】
【００１８】
以下、本考案を具体例に基づいて詳細に説明する。図１ないし図５は本考案に係る窓防犯システムの好ましい実施形態を示す。図において、住宅には複数の窓１０が形成され、複数の各窓１０は窓取付け枠１１に一対のガラス窓１２、１３をスライド自在に嵌め込んで構成され、各対のガラス窓１２、１３は一般的に市販されている通常のクレセント１５によって相互にロックされるようになっている。
【００１９】
クレセント１５は操作レバー１６と係止片（受け部）１７とからなり、操作レバー１６は一方のガラス窓１２の窓枠１２Ａの側面に回転操作可能に取付けられ、操作レバー１６にはＪ字状のフック１６Ａが形成され、又係止片１７は他方のガラス窓１３の窓枠１３Ａの側面に固定され、係止片１７には操作レバー１６の回転操作によってフック１６Ａが係合されるようになっている。
【００２０】
窓取付け枠１１及び窓枠１２Ａ、１３Ａはアルミニウム系材料その他の導電材料を用いて製作され、その外表面には絶縁性の塗料が塗装されて塗膜が形成されるとともに、窓枠１２Ａ、１３Ａの底部にはプラスチック製の車輪が設けられており、これにより窓枠１２Ａ、１３Ａは相互に絶縁されるとともに、窓取付け枠１１に対して絶縁されている。
【００２１】
また、操作レバー１６、フック１６Ａ及び係止片１７はステンレス鋼その他の導電材料を用いて製作されている。この操作レバー１６のフック１６Ａには外表面に絶縁性の塗料が塗装されて塗膜が形成されている場合には塗膜を剥離することにより、塗膜が形成されない場合にはその導電特性を利用することにより端子１８が設けられ（なお、本例では絶縁性の塗膜が形成されていない例が図示されている）、端子１８はガラス窓１２の窓枠１２Ａと例えばねじなどによって電気的に接続されている。
【００２２】
ガラス窓１２の窓枠１２Ａの外端面の上部にはねじなどにより又は塗膜を剥離することにより接点２０が設けられる一方、窓の取付け枠１１の凹所内面の接点２０に対応する箇所にはねじにより接点２１が取付け枠１１に対して絶縁して設けられ、接点２１には導線（信号線）２２が接続されており、接点２０、２１はガラス窓１２を閉じたときに相互に接続される接続部となっている。
【００２３】
他方、係止片１７の内面には外表面に絶縁性の塗料が塗装されて塗膜が形成されている場合には塗膜を剥離することにより、塗膜が形成されない場合にはその導電特性を利用することにより端子１９が設けられ（なお、本例では絶縁性の塗膜が形成されていない例が図示されている）、端子１９はガラス窓１３の窓枠１３Ａと例えばねじなどによって電気的に接続され、窓枠１３Ａは窓枠１２と同様の構成によって導線（信号線）２２が接続され、複数の対の窓枠１２Ａ、１３Ａから延びる２本の導線２２、２２は共に制御機器２７に接続されている。
【００２４】
また、ベランダなどにはガラス扉１０’が取付け枠にスライド自在に嵌め込んで開閉自在に設けられ、ガラス扉１０’は扉枠にガラスを嵌め込んで構成され、クレセント１５によってロックされるようになっている。
【００２５】
このガラス扉１０’についても窓１０と同様に、扉枠は導体材料で製作されるとともに、外表面に絶縁性の塗膜が形成されている。他方、ガラス扉１０’のクレセントには窓１０のクレセント１５と同様にして端子が設けられ、端子は扉枠に電気的に接続され、扉枠はねじによりあるいは絶縁性塗膜を剥離することによって導線２２’、２２’に電気的に接続され得るように構成され、導線２２’、２２’は制御機器２７に接続されている。
【００２６】
この制御機器２７はマイクロリレーなどを用いて構成され、複数の各窓１０やガラス扉１０’の一対の信号線２２、２２、２２’、２２’に電圧を印加し、操作レバー１６が操作されてフック１６Ａが係止片１７に係合されたときに端子１８、１９が電気的に接続されて信号線２２、２２、２２’、２２’の間に微弱電流が流れ、これが制御機器２７で検知されるようになっている。
【００２７】
また、表示機器２８には部屋の間取り図が描かれ、間取り図の窓１０やガラス扉１０’に対応する箇所には赤色と青色のＬＥＤ（発光素子）２９、３０が設けられており、クレセント１５が閉じられていない時には制御機器２７の制御信号によって赤色ＬＥＤ２９が点灯され、クレセント１５が閉じられると制御機器２７の制御信号によって赤色ＬＥＤ２９が消灯されて青色ＬＥＤ３０が点灯されるようになっている。
【００２８】
また、制御機器２７には窓扉防犯システムを作動させるための定電圧装置３１が設けられている。
【００２９】
以上のように表示機器２８に描いた間取り図の窓１０やガラス扉１０’に対応する箇所に２色のＬＥＤ２９、３０を設ける一方、クレセント１５の操作レバー１６のフック１６Ａ及び係止片１７に端子１８、１９を設け、端子１８、１９間に電圧を印加し、端子１８、１９が電気的に接続された時の微弱電流の流れを検知して表示機器２８のＬＥＤ２９、３０を点灯・消灯させるようにしたので、クレセント１５の閉じ忘れが視覚によって瞬時に確認でき、しかも表示された間取り図から閉じ忘れの窓１１も直ちに直感的に分かるので、窓１０のクレセント１５を確実に閉じることができる。
【００３０】
また、必要に応じて防犯ブザーその他の防犯機器を設け、制御機器２７によって防犯ブザーその他の防犯機器を連動させるようにすると、防犯効果をより一層高めることができる。
【００３１】
端子１８、１９の電気的な接続を利用した検知手段と、微弱電流が流れる窓枠１２Ａ、１３Ａ又は扉枠、ねじにより構成され又は塗膜を剥がして構成された接点２０、２１及び導線２２、２２’とによってクレセント１５の閉じ忘れを検知するようにしているので、接近センサーなどの特殊な機器を設ける必要がなく、コスト高を招来することもない。
【００３２】
さらに、端子１８、１９と導線２２、２２’を設ければよいので、既存の窓１０やガラス窓１０’にも簡単に装備でき、本例の防犯システムの普及が期待できる。
【００３３】
なお、上記の例では窓枠１２Ａ、１３Ａ及び扉枠の導電特性を利用して信号線の一部を構成したが、導線を窓枠１２Ａ、１３Ａ及び扉枠に沿わせて設けることによって信号線を構成することもできる。
【００３４】
また、操作レバー１６のフック１６Ａ及び係止片１７の表面に導体を固定して端子を構成することもできる。
【００３５】
表示機器２８には間取り図を描くようにしたが、液晶などのディスプレイを利用して表示させるようにしてもよい。
【００３６】
さらに、本例の窓扉防犯システムに他の機能を付加することもできる。例えば、表示機器２８には間取り図の各部屋に１つの又は２つ異なる色の表示素子、例えばＬＥＤを設け、各部屋の照明用やエアコンディショナー用の電源のＯＮ・ＯＦＦに応じて表示機器２８のＬＥＤを点灯させることもでき、又ボイラーが装備されている場合にはボイラーを示す１つの又は２つ異なる色の表示素子、例えばＬＥＤを設け、ボイラーの稼働状況に応じて表示機器２８のＬＥＤを点灯させるようにすることもできる。
【図面の簡単な説明】
【００３７】
【図１】本考案に係る窓防犯システムの実施形態を示す概略構成図である。
【図２】上記実施形態における窓１１のクレセント１５の部分を示す図である。
【図３】上記クレセントの構造例を示す図である。
【図４】上記実施形態における窓取付け枠１１と窓枠１２Ａとの間の電気的な接続を得る構成を模式的に示す図である。
【図５】上記実施形態における操作レバー１６のフック１６Ａの端子１８及び係止片１７の端子１９を示す図である。
【符号の説明】
【００３８】
１０      窓
１０’      ガラス扉
１１      取付け枠
１２、１３      ガラス窓
１２Ａ、１３Ａ        窓枠（信号線）
１５      クレセント
１６      操作レバー
１６Ａ      フック（フック部）
１７      係止片（受け部）
１８、１９      端子
２０，２１      接点（接続部）
２２、２２’    導線（信号線）
２７      制御機器
２８      表示機器
２９、３０      ＬＥＤ（発光素子）
【図１】
0003123227.tif 000003
【図２】
0003123227.tif 000004
【図３】
0003123227.tif 000005
【図４】
0003123227.tif 000006
【図５】
0003123227.tif 000007